(57)【要約】【課題】  自動分析装置及び検体前処理装置の双方に対応可能であり、かつ外径の異なる試料容器（検体容器）で共用できる検体ラックを提供する事。【解決手段】  複数の試料容器を保持可能な検体ラックと、該検体ラックの前記試料容器の挿入口に挿入する、略リング形状のアダプタと、を備え、該アダプタは、前記検体ラックの前記試料容器の挿入口の内径とほぼ同一の外径を有し、保持する試料容器の外径とほぼ同一の内径を有する試料容器位置決め面と、該試料容器位置決め面より内側に突出した試料容器押し付け部と、を備えた検体ラック。【選択図】図１
2006292696.tif 000002
【特許請求の範囲】
【請求項１】
複数の試料容器を保持可能な検体ラックと、
該検体ラックの前記試料容器の挿入口に挿入する、略リング形状のアダプタと、を備え、
該アダプタは、
前記検体ラックの前記試料容器の挿入口の内径とほぼ同一の外径を有し、
保持する試料容器の外径とほぼ同一の内径を有する試料容器位置決め面と、
該試料容器位置決め面より内側に突出した試料容器押し付け部と、
を備えたことを特徴とする検体ラック。
【請求項２】
請求項１記載の検体ラックにおいて、
前記試料容器押し付け部は複数個備えられていることを特徴とする検体ラック。
【請求項３】
請求項２記載の検体ラックにおいて、
前記複数の試料容器押し付け部は、保持する試料容器の中心位置を挟んで対向する１組の試料容器押し付け部が複数組備えられていることを特徴とする検体ラック。
【請求項４】
請求項１〜３のいずれかに記載の検体ラックにおいて、
前記アダプタは、欠損部を有するＣ字形状であることを特徴とする検体ラック。
【請求項５】
請求項１〜４のいずれかに記載の検体ラックにおいて、
前記試料容器押し付け部はリング形状部から下方に延伸しており、かつ該延伸部の末端に該試料容器位置決め面より内側に突出した突出部を備えたことを特徴とする検体ラック。
【請求項６】
請求項１〜５のいずれかに記載の検体ラックにおいて、
前記アダプタは、合成樹脂からなることを特徴とする検体ラック。
【請求項７】
請求項６記載の検体ラックにおいて、
前記合成樹脂はガラス含有ＰＢＴ（ポリブチレンテレフタレート）であることを特徴とする検体ラック。
【請求項８】
複数の試料容器を保持可能な検体ラックの該試料容器の挿入口に挿入する、略リング形状のアダプタであって、
該アダプタは、
前記検体ラックの前記試料容器の挿入口の内径とほぼ同一の外径を有し、
保持する試料容器の外径とほぼ同一の内径を有する試料容器位置決め面と、
該試料容器位置決め面より内側に突出した試料容器押し付け部と、
を備えたことを特徴とする検体ラック用アダプタ。
【発明の詳細な説明】
【技術分野】
【０００１】
本発明は血液，尿等の生体サンプルの処理，分析を行う自動分析装置，検体前処理装置において、サンプルを収容する検体容器を複数本同時に搬送するための検体搬送ラック
（以下、ラックまたは検体ラックと略称する）に係り、特に太さの異なる検体容器に適用するための検体ラックアダプタ及びそれを用いた検体ラックに関する。
【背景技術】
【０００２】
検体搬送ラックは検体容器を複数本まとめて搬送することができるため、検体ハンドリングの容易化，効率化，検体処理速度の向上を図ることができ、多量の検体を処理する検査センタ，大病院を中心に普及が進んでいる。現状の検体ラックは検体の分析を行う自動分析装置と、遠心分離等を行う検体前処理装置で異なる仕様のものが用いられている場合がある。これは、ラック内に搭載されている試料容器（検体容器）に貼付けされているバーコードの読取り方法が異なるためである。すなわち、自動分析装置においては、バーコードの読取りは試料容器がラック内に固定された状態のまま読取られる。そのため、自動分析装置専用ラックは装置内を搬送中の試料容器が回転するのを防止する機能として試料容器固定アダプタ，マワリドメを備えている。一方検体前処理装置においては、バーコードを読取る際に、試料容器回転機構を用いて試料容器を回転させる事によりバーコードの読取りを行う。そのため、検体前処理装置専用ラックは試料容器回転機構によるラック内での試料容器の回転を妨げない構造を備えている。
【０００３】
一方で、試料容器は異なる径のものが混在して使用されているため、その径に合せた専用のラックを用意していた。尚、この種の技術として例えば特許文献１記載のものが知られている。
【０００４】
【特許文献１】特開平９−１５２４６号公報
【発明の開示】
【発明が解決しようとする課題】
【０００５】
上記のように、現状、検体搬送ラックは、自動分析装置用，検体前処理装置用に分かれており、更に、それぞれのラックは試料容器の径の違いでも異なっている。従って、検体前処理装置から自動分析装置へと作業を進めるにあたり、検体前処理装置専用ラックに搭載されていた試料容器を自動分析装置専用ラックに移し替えなければならず、操作性に不都合が生ずる場合があった。また、メーカ側でも、仕様の異なるラックの在庫を一定量保有しておく必要があるため結果的に相当量の在庫が発生し、経済的ではなかった。
【０００６】
本発明の目的は、自動分析装置，検体前処理装置の双方で運用が可能で、且つ各種外径の試料容器に対応可能な検体搬送ラックを提供することにある。
【課題を解決するための手段】
【０００７】
上記目的を達成するための本発明の構成は以下の通りである。
【０００８】
複数の試料容器を保持可能な検体ラックと、該検体ラックの前記試料容器の挿入口に挿入する、略リング形状のアダプタと、を備え、
該アダプタは、前記検体ラックの前記試料容器の挿入口の内径とほぼ同一の外径を有し、保持する試料容器の外径とほぼ同一の内径を有する試料容器位置決め面と、該試料容器位置決め面より内側に突出した試料容器押し付け部と、を備えた検体ラック。
【０００９】
検体ラックは通常５本程度の試料容器（検体容器；試験管形状のものが多い）を保持可能であるが、複数本の試料容器を保持できれば良い。
【００１０】
検体ラックは試験管形状の試料容器を容器内の液体がこぼれないように保持できる構成である必要があり、一般的に試料容器の挿入口近傍と、試料容器の底部近傍の２箇所、あるいはそれ以上の箇所で試料容器を保持する構造となっている。アダプタは試料容器を周囲から保持できるようにリング形状となっている。アダプタの外径は試料容器の挿入口に取り付けた際に適度な摩擦力で位置決めできるように挿入口の内径とほぼ同一となっている。ほぼとは径の差が１mm以内が目安である。
【００１１】
試料容器位置決め面と試料容器外径の径差も同様に１mm以内が目安である。試料容器押し付け部はリング形状のアダプタの内周側に突出したもので装置内を搬送中に試料容器が回転するのを防止する。一方で、その固定力は試験管回転させて試験管に貼付されたバーコード等の読取りの動きを妨げるものではない。
【発明の効果】
【００１２】
自動分析装置，検体前処理装置の双方で運用する事に対応可能な検体搬送ラックを提供することで操作性，経済性の向上を図った。また、各種試料容器を同一検体ラックにセット出来ることから、従来のような各種径専用検体ラックを用いるよりも操作性及び経済性の向上が図れる。
【発明を実施するための最良の形態】
【００１３】
本発明の一実施例を図面に基づいて詳細に説明する。検体ラックは図１に示すように、検体ラック本体１とそれに用いるアダプタ２より構成される。先ず、検体ラック本体１は長さ約１２０［mm］，幅約２０［mm］，高さ約７０［mm］の直方体に近い形の外形をしており、その上面には試料容器３を搭載するための試料容器挿入穴４（直径約１７［mm］）が鉛直方向に５箇所、深さ約５０［mm］で等間隔に形成されている。また、その試料容器挿入穴４の上端部には、この検体ラックに用いるアダプタ２を設置するためのアダプタ設置部１２が設けられている。次に、上記アダプタ２は検体ラック本体１の試料容器挿入穴４の上端部にあるアダプタ設置部１２に填め込む形になっており、その外形は高さ約１２［mm］，直径約２０［mm］である。そしてその形状は図４に示すように、ラック内の試料容器３を決まった位置に搭載するための位置決め面１０と試料容器３を適度に固定するための試料容器押し付け部１１を備えている。この試料容器押し付け部１１は図６に示すように、弾性力を有し、また位置決め面１０よりも径が小さくなっている事によってアダプタ内に挿入された試料容器３を位置決め面１０の内径以下の径を持つ試料容器３を適度に固定する機能を満たす。また試料容器押し付け部１１の弾性力は、例えばφ１６用のアダプタを設置しφ１６の試料容器３が挿入された場合、試料容器押し付け部１１が試料容器３を押す力は約１３［Ｎ］である。この試料容器押し付け部１１は検体ラックが自動分析装置内部を搬送されている際に、搭載されている試料容器３がラック内部で回転してしまう事によって試料容器３に貼付けされているバーコード５の読取りに支障をきたすのを防止する働きも併せ持っている。そして、このアダプタ２は摺動性に優れた材質ガラス含有
ＰＢＴ（ポリブチレンテレフタレート）、特にガラスを１５％含有するＰＢＴが好ましい。また、ポリアセタール（ＰＯＭ）、または超高分子量ポリオレフィンでも良い。これは、検体前処理装置内にあるバーコード読取り部における試料容器回転機構による試料容器３のラック内での回転動作を可能にする。アダプタの試料容器押し付け部１１にはＲをつけてある。これは上記のように検体前処理装置内の試料容器回転機構部において容器が回転する際に、バーコード５が試料容器押し付け部１１に引っ掛る、又は剥がれる等の不具合が起こる事を防ぐものである。また、アダプタ２の内径は使用する試料容器３の外径に合せて対応することが出来る。ただし、試料容器挿入穴４の径約１７［mm］を超えるものは除く。例えば、一般的に使用されている試料容器３の外径は約１３［mm］から１６[mm]程度のものであり、それらに対応可能である。
【図面の簡単な説明】
【００１４】
【図１】本発明の一実施例に係る検体ラックの構成斜視図。
【図２】従来の自動分析装置専用検体ラックの構成斜視図。
【図３】従来の検体前処理装置専用検体ラックの構成斜視図。
【図４】本発明の一実施例に係る検体ラックに用いるアダプタの斜視図及び上面図。
【図５】本発明の一実施例に係る検体ラック内アダプタ設置部の正面図。
【図６】本発明の一実施例に係る検体ラックにアダプタが設置されている状態の上面図。
【符号の説明】
【００１５】
１…ラック本体、２…アダプタ、３…試料容器、１０…試料容器位置決め面、１１…試料容器押し付け部。
【図１】
2006292696.tif 000003
【図２】
2006292696.tif 000004
【図３】
2006292696.tif 000005
【図４】
2006292696.tif 000006
【図５】
2006292696.tif 000007
【図６】
2006292696.tif 000008